(57)【要約】  電動ファン付き呼吸用保護具ヘルメットがレンズ（３４，３９）を有するヘルメット（１２）を含む。光起電性の電源（３６，３８，４０）がヘルメット（１２）に取り付けられる。胴体装着されるブロア（１４）がヘルメット（１２）と別個にある。胴体装着されるブロア（１４）は、ファン（５４）と、ファン（５４）に電力供給するよう動作可能に接続される充電可能なバッテリ（１８）とを含む。可撓な空気−電気導体（４２）が胴体装着されるブロア（１４）及びヘルメット（１２）を相互接続して、加圧空気をヘルメット（１２）に並びにヘルメット（１２）上の光起電性の電源（３６，３８，４０）によって生成される電気エネルギを胴体装着されるブロア（１４）に同時に供給する。
2016506256.tif 000002
【特許請求の範囲】
【請求項１】
レンズを含むヘルメットと、
該ヘルメット上に取り付けられる光起電性の電源と、
前記ヘルメットと別個の胴体装着されるブロアと、
可撓な空気−電気導体とを含み、
前記胴体装着されるブロアは、ファンと、該ファンに電力供給するよう動作可能に接続される充電可能なバッテリとを含み、
前記可撓な空気−電気導体は、前記胴体装着されるブロア及び前記ヘルメットを相互接続して、加圧空気を前記ヘルメットに並びに前記ヘルメット上の前記光起電性の電源によって生成される電気エネルギを前記胴体装着されるブロアに、同時に供給する、
電動ファン付き呼吸用保護具ヘルメットシステム。
【請求項２】
前記可撓な空気−電気導体は、空気ホースと、該空気ホースに沿って走るワイヤとを含む、請求項１に記載の電動ファン付き呼吸用保護具ヘルメットシステム。
【請求項３】
前記ファンは、ブロア筐体、前記可撓な空気−電気導体、及び前記ヘルメットを加圧するように構成される、径方向ファンであり、前記光起電性の電源は、前記充電可能なバッテリ及び前記径方向ファンの一方又は両方に電気エネルギを供給するよう動作可能に接続される、請求項１に記載の電動ファン付き呼吸用保護具ヘルメットシステム。
【請求項４】
レンズを含むヘルメットと、
該ヘルメット上に取り付けられる光起電性の電源と、
前記ヘルメットと別個の胴体装着されるブロアと、
前記ヘルメットに加圧空気を供給するよう前記胴体装着されるブロア及び前記ヘルメットを相互接続する空気ホースと、
該空気ホースに沿って走るケーブルとを含み、
前記胴体装着されるブロアは、ファンと、該ファンに電力供給するよう動作可能に接続される充電可能なバッテリとを含み、
前記ケーブルは、前記胴体装着されるブロア及び前記ヘルメットを相互接続して、前記光起電性の電源によって生成される電気エネルギを前記胴体装着されるブロアに供給する、
電動ファン付き呼吸用保護具ヘルメットシステム。
【請求項５】
前記ワイヤ及び／又はケーブルは、前記空気ホースと一体化される、請求項１乃至４のうちのいずれか１項に記載の電動ファン付き呼吸用保護具ヘルメットシステム。
【請求項６】
前記空気ホースは、前記空気ホースの第１の端にある第１のカプリングと、前記空気ホースの第２の端にある第２のカプリングとを含み、前記ワイヤ及び／又はケーブルは、前記光起電性の電源によって生成される前記電気エネルギが前記第１のカプリング及び前記第２のカプリングを通じて伝達されるように、前記第１のカプリング及び前記第２のカプリングを相互接続する、請求項１乃至５のうちのいずれか１項に記載の電動ファン付き呼吸用保護具ヘルメットシステム。
【請求項７】
前記ファンは、ブロア筐体、前記空気ホース、及び前記ヘルメットを加圧するように構成される、径方向ファンであり、前記光起電性の電源は、前記充電可能なバッテリ及び前記径方向ファンの一方又は両方に電気エネルギを供給するように動作可能に接続される、請求項１乃至６のうちのいずれか１項に記載の電動ファン付き呼吸用保護具ヘルメットシステム。
【請求項８】
前記光起電性の電源は、第１の光起電性の電源であり、前記レンズは、自動暗化ＬＣＤカートリッジを含み、追加的なバッテリと、前記自動暗化ＬＣＤカートリッジに電力供給するための第２の光起電性の電源とを含み、前記第１の光起電性の電源は、前記胴体装着されるブロア及び前記自動暗化ＬＣＤカートリッジの両方に電気エネルギを供給する、請求項１乃至７のうちのいずれか１項に記載の電動ファン付き呼吸用保護具ヘルメットシステム。
【請求項９】
前記ヘルメットは、前記胴体装着されるブロアの状態を表示するための表示器を含む、請求項１乃至８のうちのいずれか１項に記載の電動ファン付き呼吸用保護具ヘルメットシステム。
【請求項１０】
前記表示器は、ブロアのオン／オフ、ブロアファン速度、バッテリ電圧、及びバッテリ充電レベルのうちの少なくとも１つを表示し、前記レンズは、自動暗化ＬＣＤカートリッジを含み、該自動暗化ＬＣＤカートリッジは、前記表示器を含む、請求項１乃至９のうちのいずれか１項に記載の電動ファン付き呼吸用保護具ヘルメットシステム。
【請求項１１】
自動暗化ＬＣＤカートリッジを含むレンズを含むヘルメットと、
該ヘルメット上に取り付けられる光起電性の電源と、
前記ヘルメットと別個の胴体装着されるブロアと、
前記ヘルメットに加圧空気を供給するよう前記胴体装着されるブロア及び前記ヘルメットを相互接続する空気ホースとを含み、
前記胴体装着されるブロアは、径方向ファンと、該径方向ファンに電力供給するよう動作可能に接続される充電可能なバッテリとを含み、
前記光起電性の電源は、前記胴体装着されるブロア及び前記自動暗化ＬＣＤカートリッジの両方に電気エネルギを供給する、
電動ファン付き呼吸用保護具ヘルメットシステム。
【請求項１２】
前記空気ホースに沿って走るケーブルを更に含み、該ケーブルは、前記胴体装着されるブロア及び前記ヘルメットを相互接続して、前記光起電性の電源によって生成される電気エネルギを前記胴体装着されるブロアに供給する、請求項１１に記載の電動ファン付き呼吸用保護具ヘルメットシステム。
【請求項１３】
前記ケーブルは、前記空気ホースと一体化され、前記空気ホースは、前記空気ホースの第１の端にある第１のカプリングと、前記空気ホースの第２の端にある第２のカプリングとを含み、前記ケーブルは、前記光起電性の電源によって生成される電気エネルギが前記第１のカプリング及び前記第２のカプリングを通じて伝達されるように、前記第１のカプリング及び前記第２のカプリングを相互接続する、請求項１１又は１２に記載の電動ファン付き呼吸用保護具ヘルメットシステム。
【請求項１４】
前記ヘルメットは、前記胴体装着されるブロアの状態を表示するための表示器を含み、該表示器は、ブロアのオン／オフ、ブロアファン速度、バッテリ電圧、及びバッテリ充電レベルのうちの少なくとも１つを表示する、請求項１乃至１３のうちのいずれか１項に記載の電動ファン付き呼吸用保護具ヘルメットシステム。
【発明の詳細な説明】
【技術分野】
【０００１】
（関連出願の参照）
２０１２年１２月１３日に出願された米国仮特許出願第６１／７３６，７６７号の利益をここに請求し、その開示をここに参照として援用する。
【０００２】
本発明は溶接ヘルメットに関し、具体的には、請求項１、４、及び１１に従った電動ファン付き呼吸用保護具（ＰＡＰＲ）溶接ヘルメットに関する。
【背景技術】
【０００３】
ＰＡＰＲ溶接ヘルメットにブロアからの空気の流れが供給されてヘルメット内に陽性の空気圧を創り出す。環境汚染物質が溶接作業者によって吸引されないように、陽性の空気圧は溶接ヒュームのような環境汚染物質がヘルメットに入るのを防止する。ＰＡＰＲシステムのブロアは、溶接作業者の体に、例えば、ベルトに装着されるのが典型的である。空気ホースがブロアをＰＡＰＲヘルメットに接続する。ブロアは溶接環境から引き込まれる空気をきれいにするために１つ又はそれよりも多くの空気フィルタを含み得る。ブロアはバッテリ電源式であり得る。しかしながら、バッテリは重く、溶接中のＰＡＰＲシステムの使用は溶接作業者を疲労させ得る。更に、バッテリは使用中に放電されるようになり、バッテリが充電される間にＰＡＰＲシステムを一時的に使用不能にするか、或いはバッテリを予備品と交換することを必要とし得る。
【発明の概要】
【発明が解決しようとする課題】
【０００４】
この背景に対して、本発明の目的は前述の制約及び不利点を克服することである。より具体的には、本発明の目的は溶接ヘルメットの取扱いを最適化することである。
【課題を解決するための手段】
【０００５】
この問題は請求項１、４、及び１１に従った電動ファン付き呼吸用保護具ヘルメットシステムによって解決される。ここで議論する装置及びシステムの一部の特徴の基本的な理解をもたらすために、本発明の好適実施態様は従属項の主題である。以下の概要は簡略化された概要を提示する。この概要はここで議論する装置及びシステムの広範な概観ではない。重大の要素を特定したり、そのような装置及びシステムの範囲を境界付けたりすることは、意図しない。その唯一の目的は、一部の着想を、後に提示するより詳細な記載の先駆けとして簡略化された形態において提示することである。
【０００６】
本発明の例示的な特徴及び実施態様を以下に要約する。例示的な特徴及び／又は実施態様を別個に或いは互いに組み合わせて提供し得ることが理解されるべきである。
【０００７】
本発明の第１の特徴によれば、電動ファン付き呼吸用保護具ヘルメットシステムが提供される。システムはレンズを有するヘルメットを含む。光起電性の電源がヘルメット上に取り付けられる。胴体装着されるブロアがヘルメットと別個にある。胴体装着されるブロアは、ファンと、ファンに電力供給するよう動作可能に接続される充電可能なバッテリとを含む。可撓な空気−電気導体が胴体装着されるブロア及びヘルメットを相互接続して、加圧空気をヘルメットに並びにヘルメット上の光起電性の電源によって生成される電気エネルギを胴体装着されるブロアに同時に供給する。
【０００８】
特定の実施態様において、可撓な空気−電気導体は、空気ホースと、空気ホースに沿って走るワイヤとを含む。更なる実施態様において、ワイヤは空気ホースと一体的である。一層更なる実施態様において、空気ホースは、空気ホースの第１の端にある第１のカプリングと、空気ホースの第２の端にある第２のカプリングとを含み、ワイヤは、光起電性の電源によって生成される電気エネルギが空気ホースの第１のカプリング及び第２のカプリングを通じて伝達されるように、第１のカプリング及び第２のカプリングを相互接続する。特定の実施態様において、ファンは、ブロア筐体、可撓な空気−電気導体、及びヘルメットを加圧するように構成される、径方向ファンであり、光起電性の電源は、充電可能なバッテリ及び径方向ファンの一方又は両方に電気エネルギを供給するように動作可能に接続される。特定の実施態様において、光起電性の電源は、第１の光起電性の電源であり、レンズは、自動暗化ＬＣＤカートリッジを含み、追加的なバッテリと、自動暗化ＬＣＤカートリッジに電力供給するための第２の光起電性の電源とを含み、第１の光起電性の電源は、胴体装着されるブロア及び自動暗化ＬＣＤカートリッジの両方に電気エネルギを供給する。特定の実施態様において、ヘルメットは、胴体装着されるブロアの状態を表示するための表示器を含む。更なる実施態様において、表示器は、ブロアが稼働していること、ブロアファン速度、バッテリ電圧、及びバッテリ充電レベルのうちの少なくとも１つを表示し、レンズは自動暗化ＬＣＤカートリッジを含み、自動暗化ＬＣＤカートリッジは表示器を含む。
【０００９】
本発明の他の特徴によれば、電動ファン付き呼吸用保護具ヘルメットシステムが提供される。システムはレンズを含むヘルメットを含む。光起電性の電源がヘルメット上に取り付けられる。胴体装着されるブロアがヘルメットと別個にある。胴体装着されるブロアは、ファンと、ファンに電力供給するよう動作可能に接続される充電可能なバッテリとを含む。空気ホースが胴体装着されるブロア及びヘルメットを相互接続して、ヘルメットに加圧空気を供給する。ケーブルが空気ホースに沿って走り、胴体装着されるブロア及びヘルメットを相互接続して、光起電性の電源によって生成される電気エネルギを胴体装着されるブロアに供給する。
【００１０】
特定の実施態様において、ケーブルはホースと一体的である。特定の実施態様において、空気ホースは、空気ホースの第１の端にある第１のカプリングと、空気ホースの第２の端にある第２のカプリングとを含み、ケーブルは、光起電性の電源によって生成される電気エネルギが空気ホースの第１のカプリング及び第２のカプリングを通じて伝達されるように、第１のカプリング及び第２のカプリングを相互接続する。特定の実施態様において、ファンは、ブロア筐体、空気ホース、及びヘルメットを加圧するように構成される、径方向ファンである。光起電性の電源は、充電可能なバッテリ及び径方向ファンの一方又は両方に電気エネルギを供給するように動作可能に接続される。特定の実施態様において、光起電性の電源は、第１の光起電性の電源であり、レンズは、自動暗化ＬＣＤカートリッジを含み、追加的なバッテリと、自動暗化ＬＣＤカートリッジに電力供給するための第２の光起電性の電源とを含み、第１の光起電性の電源は、胴体装着されるブロア及び自動暗化ＬＣＤカートリッジの両方に電気エネルギを供給する。特定の実施態様において、ヘルメットは、胴体装着されるブロアの状態を表示するための表示器を含む。更なる実施態様において、表示器は、ブロアが稼働していること、ブロアファン速度、バッテリ電圧、及びバッテリ充電レベルのうちの少なくとも１つを表示し、レンズは自動暗化ＬＣＤカートリッジを含み、自動暗化ＬＣＤカートリッジは表示器を含む。
【００１１】
本発明の他の特徴によれば、電動ファン付き呼吸用保護具ヘルメットシステムが提供される。システムは自動暗化ＬＣＤカートリッジを含むレンズを含むヘルメットを含む。光起電性の電源がヘルメット上に取り付けられる。胴体装着されるブロアがヘルメットと別個であり、胴体装着されるブロアは、径方向ファンと、径方向ファンに電力供給するよう動作可能に接続される充電可能なバッテリとを含む。空気ホースが胴体装着されるブロア及びヘルメットを相互接続してヘルメットに加圧空気を供給する。光起電性の電源は胴体装着されるブロア及び自動暗化ＬＣＤカートリッジの両方に電気エネルギを供給する。
【００１２】
特定の実施態様によれば、ケーブルが空気ホースに沿って走り、胴体装着されるブロア及びヘルメットを相互接続して、光起電性の電源によって生成される電気エネルギを胴体装着されるブロアに供給する。更なる実施態様において、ケーブルは空気ホースと一体化され、空気ホースは、空気ホースの第１の端にある第１のカプリングと、空気ホースの第２の端にある第２のカプリングとを含み、ケーブルは、光起電性の電源によって生成される電気エネルギが空気ホース内の第１のカプリング及び第２のカプリングを通じて伝達されるように、第１のカプリング及び第２のカプリングを相互接続する。一層更なる実施態様において、ヘルメットは、胴体装着されるブロアの状態を表示するための表示器を含み、表示器は、ブロアが稼働していること、ブロアファン速度、バッテリ電圧、及びバッテリ充電レベルのうちの少なくとも１つを表示する。
【図面の簡単な説明】
【００１３】
【図１】ＰＡＰＲ溶接ヘルメットシステムを示す斜視図である。
【図２】使用中のＰＡＰＲ溶接ヘルメットシステムを示す斜視図である。
【図３】溶接ヘルメット用の例示的な自動暗化ＬＣＤカートリッジを示す図である。
【図４】空気ホースを示す斜視図である。
【図５】空気ホースを示す斜視図である。
【図６】例示的なＰＡＰＲ溶接ヘルメットシステムを示す概略的な電気図である。
【発明を実施するための形態】
【００１４】
本発明は電動ファン付き呼吸用保護具（ＰＡＰＲ）溶接ヘルメットに関する。図面を参照して本発明を以下に記載する。図面において、同等の参照番号は至る所で同等の要素に言及するために用いられる。様々な図面は図毎に或いは所与の図内で必ずしも原寸通りに描写されていないこと、並びに、具体的には、構成部品の大きさは図面の理解を容易化するために任意的に描写されていることが理解されるべきである。以下の記載では、説明の目的のために、本発明の網羅的な理解をもたらすために、数多くの特定の詳細を示す。しかしながら、これらの特定の詳細がなくても本発明を実施し得ることは明らかであり得る。加えて、本発明の他の実施態様が可能であり、本発明は記載する以外の方法において実施し得るし実行し得る。本発明を記載するのに用いる用語及び表現は本発明の理解を促進する目的のために利用されており、限定的であると理解されるべきではない。
【００１５】
図１は、例示的なＰＡＰＲ溶接ヘルメットシステムの斜視図を提供している。システムは、溶接ヘルメット１２のようなヘルメットと、胴体装着されるブロア１４（以下「ブロア」）とを含む。溶接ヘルメット１２及びブロア１４は別個であるが、ＰＡＰＲシステムの部品を形成する相互接続される装置である。
【００１６】
ブロア１４は、複数の吸気ポート１６を通じて環境からブロア内に空気を引き込むためのファン（図示せず）を有する。ブロア１４内の使用のための例示的なファンは、径方向ファン及び軸方向ファンを含む。径方向ファンは、その軸に沿って空気を引き込み、回転する羽根車の故に、径方向に空気を排出する。軸方向ファンは、回転するファンブレードの故に、回転のその軸に沿って空気を移動させる。ブロアハウジング又は筐体１７に与えられる特別な形状は、ブロア１４内で用いられるファンの種類に基づき得る。例えば、軸方向ファンはブロア筐体１７が（図１に示すような）狭い長方形の形状を取ることを可能にし得る。何故ならば、空気はファンから径方向に排出されるからである。軸方向ファンが用いられるならば、軸方向の空気流を筐体内に収容するために、ブロア筐体１７は、より細長い、可能であれば、余り狭くない形状（例えば、円筒形）を有し得る。
【００１７】
ブロア１４は、環境からの空中浮遊物質を濾過するための１つ又はそれよりも多くのフィルタを更に含む。例えば、ブロア１４は、プレフィルタ（例えば、フォームフィルタ）を含み、次に、ＨＥＰＡフィルタ（高性能フィルタ）が続き得る。
【００１８】
ブロア１４及びそのファンは、充電可能なバッテリ１８（電池）によって電力供給される。特定の実施態様において、バッテリ１８は、他のバッテリとの交換のために及び／又はブロアから遠隔にバッテリを充電するために、容易に取り外し可能である。例示的なバッテリは、封止された１２Ｖリチウムイオン電池である。
【００１９】
ブロア１４は、図２に示すように、溶接作業者によって装着される。作業者（操作者）の体の胴体の周りに少なくとも部分的に装着されるベルト２０及び／又は安全ベルト２２（ハーネス）にブロア１４を取り付け得る。よって、ブロア１４は「胴体装着」される。ブロア１４によって引き込まれる溶接ヒュームを最小限化するために、作業者の背中にブロア１４を装着し得る。
【００２０】
ブロア１４は、ブロアを作動させたり止めたりするために並びにブロアの速度を制御するために、ボタン、ノブ等の形態の、作業者制御装置２４，２６，２８を含み得る。例えば、単位時間当たりに異なる容量（異なるＣＦＭ）の空気をヘルメット１２に給送するために、低速又は高速のいずれかでブロアを操作し得る。ブロア１４は、ＯＮ／ＯＦＦ表示器、バッテリ充電レベル表示器、及び同等物のような、表示器も含み得る。
【００２１】
可撓な空気ホース３０がブロア１４を溶接ヘルメット１２に接続し、ブロアからの加圧空気を供給してヘルメットを加圧する。ヘルメット１２は、溶接作業者の顔の周りに加圧環境を構築するための封止フード３２を含み得る。ブロア１４内のファンは、ブロア筐体１７、ブロア筐体と溶接ヘルメット１２とを相互接続する空気ホース３０、ヘルメット、及び封止フード３２を、環境から引き込まれる空気で加圧する。
【００２２】
溶接ヘルメット１２は溶接中に溶接作業者の目を保護するレンズ３４を含む。レンズ３４は固定的なシェードを備えるガラスレンズであり得るし、或いはレンズ３４は電子的な自動暗化ＬＣＤカートリッジであり得る。自動暗化ＬＣＤカートリッジはアーク溶接中に電気アークによって発せられる光に応答するアークセンサを有する。アークセンサはカートリッジ内の液晶ディスプレイ（ＬＣＤ）レンズの動作を制御する。ＬＣＤレンズは、アークの存在に基づき、ワークピースが容易に見える明るい状態から暗い状態に素速く変化し得る。ＬＣＤレンズが暗い状態にあるとき、作業者はアークの光から保護される。
【００２３】
例示的な自動暗化ＬＣＤカートリッジ３１を図３に示す。自動暗化ＬＣＤカートリッジ３１は、シェードレベル、感度、及び遅延のようなパラメータを調節する、作業者制御装置３３，３５，３７を含み得る。厚い材料を高いアンペア数で溶接するときのように、溶接のために用いられる電気アークが特別に明るいときには、例えば、作業者はより高いシェードを必要とし得る。より低いアンペア数でより薄い材料を溶接するときのように、より少ない強さのアークを用いるときには、より低いシェードレベルが望ましくあり得る。感度設定はＬＣＤレンズ３９が明るい状態から暗い状態に変わる光レベルを決定する。例えば、他の溶接作業者の存在している中で作業している間の、レンズ状態の迷惑切換え(nuisance  switching)を避けるために、作業者は感度設定を減少させ得る。溶接の完了の後で、レンズが明るい状態に戻るのに要する時間の量を長くしたり或いは短くしたりするために、遅延制御装置を用い得る。自動暗化ＬＣＤカートリッジ３１は、カートリッジに電力供給するために、１つ又はそれよりも多くのバッテリ４１を含み得る。自動暗化ＬＣＤカートリッジ３１は、以下に更に議論するように、スピーカ５８及び／又は視覚的表示器６０のような、ブロアの状態についての情報を伝達するための追加的なインターフェース装置を含み得る。
【００２４】
図１及び２に戻ると、溶接ヘルメット１２は、ヘルメット上に取り付けられる、ＰＶ電池（又はＰＶ電池の配列）のような、１つ又はそれよりも多くの光起電性（ＰＶ）電源３６，３８，４０を含む。ＰＶ電源３６，３８，４０は電力をブロア１４に供給して、ブロア内のファンに少なくとも電力供給し且つ／或いはバッテリ１８を充電する。ＰＶ電源３６，３８，４０はブロア１４内のバッテリ１８の大きさを最小限化し且つ／或いは充電が必要とされる前にバッテリを用い得る時間の長さを最大限化するのに役立ち得る。ＰＶ電源３６，３８，４０によって生成される電気エネルギは、空気ホース３０に沿って走る電気導体４２（例えば、ワイヤ又はケーブル）を介して、ブロア１４に供給される。
【００２５】
溶接作業中、特に、アーク溶接作業中、溶接中に生成される光は溶接ヘルメット１２上のＰＶ電源３６，３８，４０を照射する。次いで、ＰＶ電源３６，３８，４０は電気を生成し、それはブロア１４に電力供給し且つ／或いはブロア内のバッテリ１８を充電するために用いられる。図２では、電気アーク４８が溶接トーチ５０から生成され、溶接ヘルメット１２上のＰＶ電源は、アークから光を、ブロア１４に電力供給し且つ／或いはバッテリ１８を充電するための電気に変換する。
【００２６】
電気導体４２は空気ホース３０に沿って走る。空気ホース３０及び電気導体４２は、共に、ブロア１４と溶接ヘルメット１２とを層と接続する、空気及び電気の両方のための可撓な導体（即ち、可撓な空気−電気導体）を形成する。可撓な空気−電気導体は、加圧空気をヘルメット１２に並びにＰＶ電源３６，３８，４０によって生成される電気エネルギをブロア１４に同時に供給する。
【００２７】
特定の実施態様において、導体４２は空気ホース３０と一体的である。図４は、電力をブロアに供給するためのケーブル４２ａが空気ホース３０の壁又はハウジング内に埋設される例示的な実施態様を示している。空気ホース３０の両側のカプリング４４，４６は、ヘルメット１２（図１及び２）及びそのＰＶ電源３６，３８，４０からブロア１４への電気接続をもたらし得る。ケーブル４２ａは、溶接ヘルメット上のＰＶ電源によって生成される電気エネルギがカプリングを通じてブロアに伝達されるよう、カプリング４４，４６を相互接続する。溶接ヘルメット及びブロア上の関連ポート（出口又は入口）及びカプリング４４，４６は、ＰＶ電源によって生成される電気エネルギをカプリング４４，４６を通じて導体４２ａ及びブロアに伝送するための端子を有し得る。よって、カプリング４４，４６は、ヘルメット１２からブロア１４への電源回路構成の一部であり得るし、端子を介してＰＶ電源３６，３８，４０からブロアに電気エネルギを伝達し得る。
【００２８】
図５は、導体４２が空気ホース３０と一体的である他の例示的な実施態様を示している。導体４２はホース３０の壁又は骨組みの周りに巻き付けられ、導体及び壁又は枠組は織物スリーブ４３で覆われる。再び、空気ホースの両端にあるカプリング４４，４６は、コネクタ４２がカプリング４４，４６を相互接続した状態で、ヘルメット１２（図１及び２）及びそのＰＶ電源３６，３８，４０からブロア１４への電気接続をもたらし得る。
【００２９】
図１及び２に戻ると、アーク４８からの光へのＰＶ電源の露出を最大限化するために、ＰＶ電源を溶接ヘルメット１２の上に配置し得る。如何なる数のＰＶ電源をも溶接ヘルメット１２の上に所望に配置し得ることが理解されるべきである。例えば、溶接ヘルメットの表面をＰＶ電源によって実質的に覆い得る。ブロアに電力供給するための追加的なＰＶ電源を、ベルト２０及び／又は安全ベルト２２（ハーネス）に、或いは溶接作業者によって着用される保護衣服類に（例えば、溶接ジャケット）に組み込み得る。
【００３０】
ＰＡＰＲ溶接ヘルメットシステムの概略的な電気図を図６に示す。溶接ヘルメット１２にある（ＰＶ電源３６として図式的に示す）１つ又はそれよりも多くのＰＶ電源が、ブロア１４にある径方向ファン５４及び／又はバッテリ１８に電気エネルギを供給する。上述のように、導体４２は溶接ヘルメット１２をブロア１４に電気的に接続する。溶接ヘルメット１２は、ＰＶ電源３６からブロア１４に供給される電圧／電流／電力を規制するための規制回路構成を含み得る。代替的に、規制回路構成をブロア１４にあるブロア制御装置回路構成５６に組み込み得る。
【００３１】
特定の実施態様において、ＰＶ電源は、図６に概略的に示すように、ブロア１４に加えて、自動暗化ＬＣＤカートリッジ３１に電力を供給し得る。自動暗化ＬＣＤカートリッジ３１は電力の源が動作することを必要とし、カートリッジ用の電源をブロア用の電源と一体化させ得る。溶接ヘルメット１２上のＰＶ電源３６は、自動暗化ＬＣＤカートリッジ３１及び／又はカートリッジ３１用のバッテリに電力をもたらし、同時に、ブロア１４に電力をもたらし得る。図１に示すように、カートリッジ自体は、カートリッジ及び／又はブロア１４に電気エネルギを供給するためのＰＶ電源５５を含み得る。
【００３２】
特定の実施態様では、情報がブロア１４から溶接ヘルメット１２に伝送され、溶接ヘルメット１２によって溶接作業者に伝達される。例えば、導体４２（図１及び２）を介して情報をブロア１４から溶接ヘルメット１２に伝送し得る。短距離無線通信（例えば、Bluetooth（登録商標））を介して情報をワイヤレスに伝送してもよい。伝送される情報は、ブロアが稼働していること（例えば、オン／オフ）のようなブロア状態、ブロアファン速度、バッテリ電圧、バッテリ充電レベル、推定される残余の運転時間、フィルタ状態（例えば、閉塞された或いは詰まった状態）、ＰＶ電源からの平均電力等を含み得る。溶接ヘルメット１２によって溶接作業者に情報を可聴的に及び／又は視覚的に伝達し得る。例えば、溶接ヘルメットは可聴ビープを発して溶接作業者に情報を伝達する。図３において、自動暗化ＬＣＤカートリッジ３１は、（例えば、低いブロアバッテリ充電のための）可聴的な表示又はアラームをもたらすスピーカ５８、及び（例えば、ブロアバッテリ充電のための）視覚的な表示器６０を含む。
【００３３】
ある実施態様において、ＰＶ電源を備えるＰＡＰＲ溶接ヘルメットシステムは、少なくとも８時間に亘ってブロア１４を作動させ得る。
【００３４】
この開示は一例としてあること、並びに、この開示に含められる教示の適正な範囲から逸脱せずに詳細を追加し、修正し、或いは排除することによって、様々な変更を行い得ることが、明らかであるはずである。従って、本発明は、後続の請求項が必要的にそのように限定される程度を除き、この開示の特定の詳細に限定されない。
【符号の説明】
【００３５】
１２    溶接ヘルメット
１４    胴体装着されるブロア
１６    吸気ポート
１７    ハウジング／筐体
１８    バッテリ
２０    ベルト
２２    安全ベルト（ハーネス）
２４    作業者制御装置
２６    作業者制御装置
２８    作業者制御装置
３０    空気ホース
３１    ＬＣＤカートリッジ
３２    封止フード
３３    作業者制御装置
３４    レンズ
３５    作業者制御装置
３６    電源
３７    作業者制御装置
３８    電源
３９    レンズ
４０    電源
４１    バッテリ
４２    電気導体
４２ａ  ケーブル
４３    織物スリーブ
４４    カプリング
４６    カプリング
４８    アーク
５０    溶接トーチ
５２    規制回路構成
５４    径方向ファン
５６    ブロア制御装置回路構成
５８    スピーカ
６０    表示器
【図１】
2016506256.tif 000003
【図２】
2016506256.tif 000004
【図３】
2016506256.tif 000005
【図４】
2016506256.tif 000006
【図５】
2016506256.tif 000007
【図６】
2016506256.tif 000008
【国際調査報告】
2016506256.tif 000009
2016506256.tif 000010